(57)【特許請求の範囲】
【請求項１】
合成樹脂を含む繊維製品から所定サイズ又は所定質量の試験片を取り出し、該試験片を洗浄する洗浄工程と、
該洗浄工程で排出される排水をフィルターでろ過するろ過工程と、
該フィルターで捕捉された繊維屑の質量を計量する計量工程と、
該計量工程で計量した結果に基づき、該繊維製品が排出するマイクロプラスチックの排出量を評価する評価工程とを含むマイクロプラスチック排出量評価方法であり、
該洗浄工程で行う洗浄は、ＪＩＳ  Ｌ  ０８４４「洗濯に対する染色堅ろう度試験方法」に規定する洗濯試験機を使用することを特徴とするマイクロプラスチック排出量評価方法。
【請求項２】
請求項１に記載のマイクロプラスチック排出量評価方法において、該フィルターは、メンブレンフィルターであることを特徴とするマイクロプラスチック排出評価方法。
【請求項３】
請求項１又は２に記載のマイクロプラスチック排出量評価方法を用いて得られた評価結果を、該試験片と同じ材料で構成される繊維製品に添付されるタグに表示することを特徴とする製品評価表示方法。
【請求項４】
請求項１又は２に記載のマイクロプラスチック排出量評価方法を用いて得られた評価結果をインターネットに接続される管理サーバーに記録し、該試験片と同じ材料で構成される繊維製品のタグに、該管理サーバーへの接続に必要なアクセス情報を、インターネットに接続可能な端末により読み取り可能に保持させることを特徴とする製品評価表示方法。
【請求項５】
合成樹脂を含む繊維製品から所定サイズ又は所定質量の試験片を取り出し、該試験片を洗浄する洗浄工程と、
該洗浄工程で排出される排水をフィルターでろ過するろ過工程と、
該フィルターで捕捉された繊維屑の質量を計量する計量工程と、
該計量工程で計量した結果に基づき、該繊維製品が排出するマイクロプラスチックの排出量を評価する評価工程とを含むマイクロプラスチック排出量評価方法を用いた製品評価表示方法であり、
前記マイクロプラスチック排出量評価方法を用いて得られた評価結果を、該試験片と同じ材料で構成される繊維製品に添付されるタグに表示することを特徴とする製品評価表示方法。
【請求項６】
合成樹脂を含む繊維製品から所定サイズ又は所定質量の試験片を取り出し、該試験片を洗浄する洗浄工程と、
該洗浄工程で排出される排水をフィルターでろ過するろ過工程と、
該フィルターで捕捉された繊維屑の質量を計量する計量工程と、
該計量工程で計量した結果に基づき、該繊維製品が排出するマイクロプラスチックの排出量を評価する評価工程とを含むマイクロプラスチック排出量評価方法を用いた製品評価表示方法であり、
前記マイクロプラスチック排出量評価方法を用いて得られた評価結果をインターネットに接続される管理サーバーに記録し、該試験片と同じ材料で構成される繊維製品のタグに、該管理サーバーへの接続に必要なアクセス情報を、インターネットに接続可能な端末により読み取り可能に保持させることを特徴とする製品評価表示方法。
【発明の詳細な説明】
【技術分野】
【０００１】
本発明は、マイクロプラスチック排出量評価方法及びそれを用いた製品評価表示方法に関し、特に合成樹脂を含む繊維製品から排出されるマイクロプラスチックに係るマイクロプラスチック排出量評価方法に関する。
【背景技術】
【０００２】
マイクロプラスチックは、環境中に存在する微少なプラスチックであり、特に、海洋環境では海水中に漂うマイクロプラスチックを海洋生物が摂取し体内に蓄積することで、近年、その取扱いが注目されている。マイクロプラスチックとは、直径５ｍｍ以下のプラスチック片の総称である。
【０００３】
ポリエステルやナイロンなどプラスチックを用いた合成繊維が多く使用され、特に衣料品等に使用されている。これらは、ペットボトルやストローなどの他のプラスチック製品と同様に、環境に投棄されれば、物理的又は化学的作用により分解・粉砕され、マイクロプラスチックに変化する。
【０００４】
当然、これらのプラスチック製品の最終処理は重要な問題であるが、が、それ以上に、衣料品等は、日常的に洗濯され、それを処理した廃水中に繊維屑が混入し、環境に放出されている。一回の洗濯で環境に放出される繊維屑は、極微量ではあるが、世界の人口と洗濯回数を考慮すると、放出される繊維屑の影響は看過できないものとなる。
【０００５】
特許文献１においては、洗濯工程中に繊維製品から洗い落とされた合成樹脂繊維を捕集するための捕集手段を提示している。このような捕集手段を使用することも繊維屑の環境への放出を抑制する対策手段の一つではあるが、そもそも洗濯における繊維屑の発生自体を抑制することが、より一般的で好ましい。
【０００６】
しかしながら、現在の繊維製品には、洗濯における繊維屑の排出量やそれに関連した情報は明示されておらず、需要者が繊維製品を購入する際の指標も提供されていない。
【先行技術文献】
【特許文献】
【０００７】
【特許文献１】特表２０１９−５０５３５１号公報
【発明の概要】
【発明が解決しようとする課題】
【０００８】
本発明が解決しようとする課題は、上述したような問題を解決し、合成樹脂を含む繊維製品から排出されるマイクロプラスチックの排出量を客観的に定量評価できるマイクロプラスチック排出量評価方法を提供すると共に、需要者が繊維製品を選択する際に有用な製品評価表示方法を提供することである。
【課題を解決するための手段】
【０００９】
上記課題を解決するため、本発明のマイクロプラスチック排出量評価方法及びそれを用いた製品評価表示方法は、以下の技術的特徴を有する。
（１）  合成樹脂を含む繊維製品から所定サイズ又は所定質量の試験片を取り出し、該試験片を洗浄する洗浄工程と、該洗浄工程で排出される排水をフィルターでろ過するろ過工程と、該フィルターで捕捉された繊維屑の質量を計量する計量工程と、該計量工程で計量した結果に基づき、該繊維製品が排出するマイクロプラスチックの排出量を評価する評価工程とを含むマイクロプラスチック排出量評価方法であり、該洗浄工程で行う洗浄は、ＪＩＳ  Ｌ  ０８４４「洗濯に対する染色堅ろう度試験方法」に規定する洗濯試験機を使用することを特徴とする。
【００１１】
（２）  上記（１）に記載のマイクロプラスチック排出量評価方法において、該フィルターは、メンブレンフィルターであることを特徴とする。
【００１２】
（３）  上記（１）又は（２）に記載のマイクロプラスチック排出量評価方法を用いて得られた評価結果を、該試験片と同じ材料で構成される繊維製品に添付されるタグに表示することを特徴とする製品評価表示方法である。
【００１３】
（４）  上記（１）又は（２）に記載のマイクロプラスチック排出量評価方法を用いて得られた評価結果をインターネットに接続される管理サーバーに記録し、該試験片と同じ材料で構成される繊維製品のタグに、該管理サーバーへの接続に必要なアクセス情報を、インターネットに接続可能な端末により読み取り可能に保持させることを特徴とする製品評価表示方法である。
（５）  合成樹脂を含む繊維製品から所定サイズ又は所定質量の試験片を取り出し、該試験片を洗浄する洗浄工程と、該洗浄工程で排出される排水をフィルターでろ過するろ過工程と、該フィルターで捕捉された繊維屑の質量を計量する計量工程と、該計量工程で計量した結果に基づき、該繊維製品が排出するマイクロプラスチックの排出量を評価する評価工程とを含むマイクロプラスチック排出量評価方法を用いた製品評価表示方法であり、前記マイクロプラスチック排出量評価方法を用いて得られた評価結果を、該試験片と同じ材料で構成される繊維製品に添付されるタグに表示することを特徴とする製品評価表示方法である。
（６）  合成樹脂を含む繊維製品から所定サイズ又は所定質量の試験片を取り出し、該試験片を洗浄する洗浄工程と、該洗浄工程で排出される排水をフィルターでろ過するろ過工程と、該フィルターで捕捉された繊維屑の質量を計量する計量工程と、該計量工程で計量した結果に基づき、該繊維製品が排出するマイクロプラスチックの排出量を評価する評価工程とを含むマイクロプラスチック排出量評価方法を用いた製品評価表示方法であり、前記マイクロプラスチック排出量評価方法を用いて得られた評価結果をインターネットに接続される管理サーバーに記録し、該試験片と同じ材料で構成される繊維製品のタグに、該管理サーバーへの接続に必要なアクセス情報を、インターネットに接続可能な端末により読み取り可能に保持させることを特徴とする製品評価表示方法である。
【発明の効果】
【００１４】
本発明は、合成樹脂を含む繊維製品から所定サイズ又は所定質量の試験片を取り出し、該試験片を洗浄する洗浄工程と、該洗浄工程で排出される排水をフィルターでろ過するろ過工程と、該フィルターで捕捉された繊維屑の質量を計量する計量工程と、該計量工程で計量した結果に基づき、該繊維製品が排出するマイクロプラスの排出量を評価する評価工程とを含むことを特徴とするマイクロプラスチック排出量評価方法により、マイクロプラスチックの排出量を客観的に定量評価できる。しかも、マイクロプラスチック排出量評価方法を用いて得られた評価結果を、繊維製品に添付されるタグに表示したり、インターネットに接続される管理サーバーに記録し、需要者が当該情報にアクセス可能にすることで、需要者が繊維製品を選択する際に、マイクロプラスチックの排出量に係る有用な指標を提供することが可能となる。
【図面の簡単な説明】
【００１５】
【図１】本発明に係るマイクロプラスチック排出量評価方法の概略を示す図である。
【図２】本発明に係るマイクロプラスチック排出量評価方法のプロセスを示す図である。
【図３】本発明に係る製品評価表示方法の一例を示す図である。
【図４】本発明に係る製品評価表示方法の他の例を示す図である。
【発明を実施するための形態】
【００１６】
以下、本発明のマイクロプラスチック排出量評価方法及びそれを用いた製品評価表示方法について、好適例を用いて詳細に説明する。
本発明の特徴は、図１及び２に示すように、合成樹脂を含む繊維製品から所定サイズ又は所定質量の試験片を取り出し、該試験片を洗浄する洗浄工程と、該洗浄工程で排出される排水をフィルターでろ過するろ過工程と、該フィルターで捕捉された繊維屑の質量を計量する計量工程と、該計量工程で計量した結果に基づき、該繊維製品が排出するマイクロプラスの排出量を評価する評価工程とを含むことを特徴とするマイクロプラスチック排出量評価方法である。
【００１７】
合成樹脂を含む繊維製品としては、生地や糸などの形態があり、生地の場合は、所定サイズ（例えば、１００ｍｍ×４０ｍｍの長方形）や所定質量で生地から切り出した試験片が使用される。また、糸の場合は、所定サイズ（例えば、１００ｍｍの長さ）や所定質量で糸から切り出した試験片が使用される。
【００１８】
試験片の洗浄工程では、試験片に与える物理的又は化学的ダメージにより、試験片から放出される繊維屑の量が変化するため、洗浄に使用する洗濯試験機の種類や、洗浄の手順（プロセス）については、予め指定することが好ましい。また、試験片の洗浄工程において、試験のための洗浄を行う前に、純水等によるすすぎ処理を付加し、試験片に付着した汚れや埃を除去しておく工程を含めることも可能である。
【００１９】
洗浄工程で使用する洗濯試験機としては、通常の洗濯プロセスを再現できるものであれば特に限定されない。その中でも、産業界で利用実績があり、具体的な洗濯プロセスを開示する日本産業規格ＪＩＳ  Ｌ  ０８４４「洗濯に対する染色堅ろう度試験方法」に規定する洗濯試験機（ラウンダーメーター）は、市販製品も提供されており、本発明に好適に利用することが可能である。
【００２０】
上記日本産業規格に規定される洗濯試験機には、試験瓶、試験瓶の回転装置及び試験瓶内の試験液を恒温に保つための恒温水槽又は恒温槽から構成される。また、洗浄工程では、試験瓶に試験片と試験液だけでなく、規定個数のステンレス鋼球（ＪＩＳ  Ｇ  ４３０３のＳＵＳ３０４で直径約６ｍｍのもの）が入れられる。
【００２１】
洗浄工程における洗濯プロセスは、上記日本産業規格に規定される洗濯方法を採用することもできるし、当該洗濯試験機を使用した独自の洗濯プロセスを規定することも可能である。重要なのは、予め、客観的な手順として、当業者が再現可能な状態で、洗濯プロセスを明示することである。
【００２２】
また、洗濯プロセスで使用する試験液についても、上記日本産業規格内に合成洗剤１号及び２号が明示されており、それを使用することもできる。また、必要に応じてＪＩＳ  Ｋ  ３３７１の規定に適合する市販の合成洗剤を用いても良い。その場合には、合成洗剤の品名を試験報告書（評価書）に明記することが必要である。
【００２３】
洗浄工程は、試験液を使用した洗濯プロセスだけでなく、当該洗濯プロセスの後の水洗プロセスも含めることができる。特に、本発明のマイクロプラスチック排出量評価方法においては、洗濯プロセスで排水した際に、試験片に再付着した繊維屑を回収するため、水洗プロセスを複数回、好ましくは２回以上繰り返すことが好ましい。
【００２４】
洗浄工程で排出される排水は、洗濯プロセスでの試験液と水洗プロセスでの洗浄水とが含まれる。これらの排水に含まれる繊維屑を回収するため、排水はフィルターを通過するように処理される。排水の全てがフィルターを通過するように設定することが好ましいが、試験時間等の短縮を図るため、予め設定した所定量の排水のみ、フィルターを通過させても良い。
【００２５】
フィルターは、試験片から排出される繊維屑を確実に捕捉することが可能であれば、特にフィルターの材質やメッシュサイズ等は限定されないが、市販品で安価であり、品質も安定しているメンブレンフィルターは本発明にとって好ましい製品である。メンブレンフィルターの孔径は、０．１μｍ〜１０μｍ程度であり、繊維屑は通過させず、合成洗剤を含む試験液が通過可能な孔径サイズが使用される。
【００２６】
フィルターで捕捉された繊維屑の質量を計測するには、フィルターに付着した繊維屑をフィルターから分離することと、該繊維屑を乾燥させることが不可欠である。メンブレンフィルターのような微細な細孔が複雑に形成されたフィルターでは、フィルターから繊維屑を分離する作業は、大変煩雑なものとなる。このため、メンブレンフィルターの使用前の質量と、使用後（乾燥後）の質量と比較し、その差を繊維屑の質量として規定することも可能である。また、乾燥に際して、真空ポンプ等でフィルターに付着した水分を吸引する手段を組み合わせることも可能である。
【００２７】
計測された繊維屑の質量に基づき、一般的に、繊維屑が多い繊維製品はマイクロプラスチックの排出量が多い製品と評価することができる。繊維製品の材料が全て合成繊維である場合には、繊維屑が全てマイクロプラスチックに変わるものとして評価することが可能である。しかしながら、繊維製品に天然繊維（綿、麻、絹など）と合成繊維とが混在している場合には、フィルターに付着した繊維屑を溶剤で処理し、天然繊維を溶かしてフィルターから除去し、フィルターに残留した繊維片の質量を評価対象とすることが可能である。また、繊維屑の質量に、繊維製品内での合成繊維の混入割合を乗じて評価することも可能である。
【００２８】
次に、計測された繊維屑の質量の数値を、そのまま評価結果とすることも可能であるが、繊維屑の質量に応じて、製品評価のランク分け（等級の設定）を行い、例えば、繊維屑の質量が少ない順に、「優良（１級）」、「やや優良（２級）」などの評価を行う方が、需要者には製品の性能評価への理解が容易になる。
【００２９】
評価の基準となる繊維屑の質量であるが、繊維製品の種類に応じて、同じ洗浄でも排出量が大きく異なる。このため、全ての繊維製品に共通の評価基準とすることも可能であるが、繊維製品の大まかな種類毎に、評価基準を設定することも可能である。評価基準に設定に際しては、現在市販されている製品が排出する繊維屑の平均質量を基準に、それよりも所定割合少ない場合、例えば半分以下を「優良（１級）」、半分から９割程度を「やや優良（２級）」などに分類することが可能である。
【００３０】
実際に、試験対象製品として、フリース、裏起毛などの起毛生地を中心に、ポリエステル短繊維等を使用した合成繊維混紡生地について、以下の手順で、マイクロプラスチックの排出量を評価した。
【００３１】
（試験器具等）
試験対象製品は、フリース等の起毛商品の１８品目を対象とした。
洗濯試験機は、ラウンダーメーター（株式会社大栄科学精器製作所  型番：ＬＳ−１２）を使用し、試験瓶及びステンレス鋼球は、ラウンダーメーターの付属品を使用した。
フィルターは、メンブレンフィルター（商品名：オムニポアＴＭ、「Ｍｅｒｃｋ  Ｍｉｌｌｉｐｏｒｅ  Ｌｔｄ．」社製、品番：ＪＣＷＰ０４７００、サイズ：孔径１０μｍ，直径４ｍｍ）を使用した。
【００３２】
（試験片の準備）
試験対象製品である生地を、１００×４０ｍｍのサイズに切り出し、１つの試験対象製品に対して、３枚の試験片を準備した。
【００３３】
（試験片の洗浄工程及び計量工程）
試験瓶に純水１５０ｍｌとさらにステンレス鋼球を２５個投入し、試験液を５０℃に維持した。試験瓶の試験液内に試験片を投入し、回転速度４０±２ｒｐｍで３０分間回転洗浄した。その後、試験液を排水し、純水１５０ｍｌを入れ、水洗い(すすぎ)を行った。水洗は合計２回行った。
【００３４】
洗浄工程で排水される試験液と純水を、フィルターで濾過し、乾燥後、フィルターの質量を計測する。使用前のフィルターの質量と比較し、繊維屑の質量を算出した。３枚の試験片について同様な試験を行い、当該品目における繊維屑の平均質量を算出した。
【００３５】
１８品目のフリースについて、同様の試験を行い、各品目毎に繊維屑の平均質量を算出した。全品目の繊維屑の平均質量（排出量）は、６．４ｍｇであった。全品目の平均質量（排出量）の分布結果を、表１に示す。
【００３６】
【表１】
0006980839.tif 000002
【００３７】
例えば、表１の結果を参考に、「優良（１級）」の評価指標として、繊維屑の平均質量（排出量）が０−２ｍｇ未満に設定すると、市販されている一般品（６．４ｍｇ）よりも約３０％以下に排出量が抑制されている商品と評価できる。また、「やや優良（２級）」の評価指標として、繊維屑の平均質量（排出量）が２−３ｍｇ未満に設定すると、一般品よりも半分以下に排出量が抑制されている商品と評価できる。
【００３８】
次に、本発明の製品評価表示方法について説明する。
マイクロプラスチック排出量評価方法で評価した結果については、図３（ａ）に示すように、試験片と同じ材料で構成される商品に、タグ１を付すことができる。このタグを見ることで、当該製品が環境への負荷を減らした優良な商品であることを、需要者に容易に理解させることが可能となる。タグ１には、図３（ｂ）のように、「Ｌｅｓｓ  Ｍｉｃｒｏ  Ｐｌａｓｔｉｃ（１級）」などの表示を付して、マイクロプラスチックの排出量の評価ランクや平均質量等を表示することも可能である。
【００３９】
さらに、別の製品評価表示方法として、図４に示すように、マイクロプラスチック排出量評価方法を用いて得られた評価結果をインターネットに接続される管理サーバーＤＢに記録し、需要者が容易に閲覧できるようにすることも可能である。このためには、図３（ｂ）のタグ１に、点線枠３で示すような、バーコードやＱＲコード（登録商標）、あるいは、タグ１に埋め込まれたＩＣタグ（チップ）などに、管理サーバーにアクセスできるＵＲＬ等のアクセス情報を組み込むことが可能である。
【００４０】
需要者は、インターネットに接続可能なスマートフォンなどの携帯型端末を利用して、タグ１に付されたアクセス情報を読み込み(点線矢印４）、該アクセス情報に従ってインターネットにアクセスし、管理サーバーに記憶された、当該繊維製品の評価結果（平均質量，評価ランク）等を閲覧することができる。管理サーバーに記憶する情報も、試験片の写真、繊維製品の型番、材料名、試験日、試験機関など、種々の試験片に係る情報を網羅することが可能である。
【産業上の利用可能性】
【００４１】
以上説明したように、本発明によれば、合成樹脂を含む繊維製品から排出されるマイクロプラスチックの排出量を客観的に定量評価できるマイクロプラスチック排出量評価方法を提供すると共に、需要者が繊維製品を選択する際に有用な製品評価表示方法を提供することが可能となる。
【符号の説明】
【００４２】
１  タグ
２  評価表示
３  アクセス情報
５  端末
【図１】
0006980839.tif 000003
【図２】
0006980839.tif 000004
【図３】
0006980839.tif 000005
【図４】
0006980839.tif 000006